(57)【要約】      （修正有）【課題】電気的接続の安定性を確保し、伐出し分離動作を便利にするスライド式補助接続組立部材を提供する。【解決手段】１対の固定レール１と、少なくとも１つの自動ロック機構２と、各自動ロック機構に隣接する手動ロック解除メカニズム３と、を備え、１対の固定レールは第二板材に予め設けている１対のロック穴に対応する位置に少なくとも１つのロック穴に対して自動ロックを形成する自動ロック機構を設置し、第二板材を含む着脱式装置が１対の固定レールのスライド中に第一板材を含む本体に対して自動ロック機能を発動し、第一板材のコネクタ及び第二板材の接続プラグを脱離しないようにする。スライド式補助接続組立部材には各自動ロック機構に対してロックを形成する手動ロック解除メカニズムを更に設け、使用者が片手または両手で着脱式装置を把持して伐出分離する動作を便利にする。【選択図】図５
0003229039.tif 000002
【実用新案登録請求の範囲】
【請求項１】
１対の固定レールと、少なくとも１つの自動ロック機構と、各前記自動ロック機構に隣接する手動ロック解除メカニズムと、を備え、前記１対の固定レールは第一板材に間隔を空けて対向するように設置し、且つ内側面には第二板材の両側にある１対のスライドレールを挿設させてスライドさせるための１対のレールスロットを相対的に軸方向に開設し、前記１対の固定レールは各前記スライドレールのロック穴に対応する位置に前記自動ロック機構を装設すると共に貫通スロットを有する位置決めタワーを突設し、そして、前記１対の固定レールは前記位置決めタワーの一側に停止部材を間隔を空けて設置し、
各前記自動ロック機構は、底部には前記貫通スロットを貫通すると共に案内側面を有するほぞを設けている固定ピンであって、前記ほぞの上方には第一角ほぞを突設し、且つ前記貫通スロットの外側にプルハンドルを有することと、前記位置決めタワーに挿着する固定端及び前記固定ピンに挿着する接合端を有する弾性体と、を含み、各前記自動ロック機構の前記ほぞは前記弾性体が付勢を解放することにより前記レールスロット内に恒常的に径方向に進入し、前記案内側面が前記レールスロットの挿入方向に向き、前記ロック穴を自動ロックし、
各前記手動ロック解除メカニズムはシャフトロッド及びスプリングを備え、前記スプリングは前記停止部材及び前記シャフトロッドの一端に設置し、前記シャフトロッドの他端にある第二角ほぞは前記位置決めタワーを貫通すると共に前記第一角ほぞに隣接し、
前記プルハンドルを上に引くことで前記ほぞを前記貫通スロット内を貫入させ、且つ前記第一角ほぞが前記第二角ほぞを超えて衝合するロック形態を形成し、同時に前記弾性体の前記接合端及び前記スプリングが圧縮し、前記固定ピンが自動的に落下しなくなることを特徴とするスライド式補助接続組立部材。
【請求項２】
各前記固定レールの外面の底部には側板を径方向に突設し、前記側板は少なくとも１つの螺接穴及び少なくとも１つの位置決めピンを備え、各前記螺接穴は螺合部材を挿設すると共に前記第一板材に対応するように設ける貫通穴に螺接することを特徴とする請求項１に記載のスライド式補助接続組立部材。
【請求項３】
前記側板は少なくとも１つの位置決めピンを更に備え、各前記位置決めピンは前記第一板材に対応するように設ける位置決め穴に挿設することを特徴とする請求項２に記載のスライド式補助接続組立部材。
【請求項４】
前記少なくとも１つの螺接穴及び前記少なくとも１つの位置決めピンは各前記側板の径方向に延出する複数の凸部に選択的に別設することを特徴とする請求項３に記載のスライド式補助接続組立部材。
【請求項５】
各前記レールスロットは上面に対向する先端及び末端にノッチ部を各々形成することを特徴とする請求項１に記載のスライド式補助接続組立部材。
【請求項６】
各前記レールスロットの下方の先端及び後端に逃げスロットを各々形成することを特徴とする請求項１に記載のスライド式補助接続組立部材。
【請求項７】
前記ほぞの各外周面は全て前記案内側面以外の少なくとも１つの凸リブに突設することで、前記貫通スロットとの密接度が増すことを特徴とする請求項１に記載のスライド式補助接続組立部材。
【請求項８】
前記案内側面は斜面または円弧面であることを特徴とする請求項１に記載のスライド式補助接続組立部材。
【請求項９】
前記弾性体はねじりばねであり、前記ねじりばねの前記固定端は前記位置決めタワーの足穴内に挿着し、前記接合端は前記固定ピンのピンホール内に挿着し、前記位置決めタワーは供前記ねじりばねを装設するスプリング室に横方向に連通し、前記スプリング室内には前記ねじりばねの複数のコイルを覆設するための円柱を突設することを特徴とする請求項１に記載のスライド式補助接続組立部材。
【請求項１０】
前記円柱は外周面に少なくとも２つのフランジを突設し、且つこれら前記コイルを前記円柱に覆設した後に脱出しないようにするために各前記フランジは斜面を有することを特徴とする請求項１に記載のスライド式補助接続組立部材。
【請求項１１】
前記手動ロック解除メカニズムは前記位置決めタワーと前記停止部材との間に位置する支持部材を更に備え、前記支持部材は前記シャフトロッドに隣接することを特徴とする請求項１に記載のスライド式補助接続組立部材。
【請求項１２】
前記支持部材はＴ字形または逆Ｌ字型の凸型レールであり、前記シャフトロッドの底部の少なくとも一側には前記凸型レールと係合する少なくとも１つのバックルフックを設け、前記シャフトロッドが前記支持部材上で軸方向に移動することを特徴とする請求項１１に記載のスライド式補助接続組立部材。
【請求項１３】
前記停止部材は前記スプリングを覆設するための収容室であり、前記シャフトロッドの一端の支軸には前記スプリングを被装することを特徴とする請求項１に記載のスライド式補助接続組立部材。
【請求項１４】
前記弾性体はＵ字形線ばねであり、前記位置決めタワーは前記手動ロック解除メカニズムの対向する側に前記Ｕ字形線ばねの前記固定端を装設するための固定スロットを設け、前記Ｕ字形線ばねの前記接合端は前記位置決めタワーを貫通すると共に前記固定ピンに対向するように開設する１対のピンホール内に挿着することを特徴とする請求項１に記載のスライド式補助接続組立部材。
【考案の詳細な説明】
【技術分野】
【０００１】
本考案は、スライド式補助接続組立部材に関し、更に詳しくは、ネットワークカードのような電子装置のスライド接続及びロックに適用するスライド式補助接続組立部材に関する。
【背景技術】
【０００２】
スライドレール構造は２つの電子装置の着脱に広く用いられており、電気的接続または切断を形成する広く知られた技術である。図１は従来の着脱式電子装置の第１実施形態を示す傾斜分解図である。前記着脱式電子装置はサーバーのような本体１０及びネットワークカードのような着脱式装置２０を含む。前記本体１０はコネクタ１０２を有するメインボードのような第一板材１０１を備え、前記コネクタ１０２の両側には１対の固定レール１０３を対向するように設置し、且つ各前記固定レール１０３がレールスロット１０４を有する。前記着脱式装置２０は回路基板のような第二板材２０１を有し（図２参照）、前記第二板材２０１の内側には前記コネクタ１０２に対応する位置に接続プラグ（図示省略）を設け、且つ両側には１対のスライドレール２０２を対向するように延出し、各前記スライドレール２０２にはロック穴２０３を開設する。
【０００３】
前記着脱式装置２０を前記本体１０内に結合する場合、使用者は前記１対のスライドレール２０２を前記１対の固定レール１０３の前記１対のレールスロット１０４内に挿入し、前記１対のレールスロット１０４に沿って内側に向けてスライドさせ、前記接続プラグを前記コネクタ１０２に挿着するのみで電気的接続が形成される。図２には前記第一板材１０１及び前記第二板材２０１の配置方式を図示する。即ち、前記１対の固定レール１０３は対向すると共に前記第一板材１０１の上面に間隔を空けて装設し、前記第二板材２０１は前記１対の固定レール１０３の間に挿設すると共に前記第一板材１０１の上方に位置し、前記第二板材２０１は前記第一板材１０１に対してオンボード形態を形成する。
【０００４】
図３は従来の着脱式電子装置の第２実施形態を示す傾斜分解図である。前記着脱式電子はサーバーのような本体１０及びネットワークカードのような着脱式装置２０を含む。前記本体１０はメインボードのような第一板材１０１を備え、前記第一板材１０１は矩形穴１０５を有し、且つ前記穴１０５の内側にはコネクタ１０２を接するように装設する。前記穴１０５の両側には１対の固定レール１０３を対向するように設置し、各前記固定レール１０３はレールスロット１０４を有する。前記着脱式装置２０は回路基板のような第二板材２０１を有し（図４参照）、前記第二板材２０１の内側には前記コネクタ１０２に対応する位置に接続プラグ（図示省略）を設け、且つ両側には１対のスライドレール２０２を対向するように延出し、各前記スライドレール２０２にはロック穴２０３を開設する。
【０００５】
前記着脱式装置２０を前記本体１０内に結合する場合、使用者は前記１対のスライドレール２０２を前記１対の固定レール１０３の前記１対のレールスロット１０４内に挿入し、前記１対のレールスロット１０４に沿って内側に向けてスライドさせ、前記接続プラグを前記コネクタ１０２に挿着するのみで電気的接続が形成される。図４には前記第一板材１０１及び前記第二板材２０１の配置方式を図示する。即ち、前記１対の固定レール１０３は対向すると共に前記穴１０５の両側辺に間隔を空けて装設し、前記第二板材２０１は前記１対の固定レール１０３の間にある前記穴１０５内に挿設し、前記第二板材２０１は前記第一板材１０１に対してインボード形態を形成する。
【考案の概要】
【考案が解決しようとする課題】
【０００６】
しかしながら、前述の２つの実施形態の前記１対の固定レール１０３にはロック及び位置決め機能がなく、前記本体１０及び前記着脱式装置２０の接続及び固定については前記コネクタ１０２と前記接続プラグとの間の挟持力に依存していた。前記本体１０が振動環境にある場合、前記コネクタ１０２及び前記接続プラグが緩んでしまい、電気的接続効果が失われるため、改善が俟たれている。
【０００７】
そこで、本考案者は上記の欠点が改善可能と考え、鋭意検討を重ねた結果、合理的設計で上記の課題を効果的に改善する本考案の提案に到った。
【０００８】
本考案は、かかる事情に鑑みてなされたものであり、その目的とするところは、スライド式補助接続組立部材を提供することにある。オンボードまたはインボード形態で第一板材に接するように装設する１対の固定レールを有し、且つ少なくとも１つの固定レールは第二板材に予め設けているロック穴に対応する位置に前記ロック穴に対して自動ロックを形成する自動ロック機構、及び手動ロック解除を形成する手動ロック解除メカニズムを設置し、回路基板のような前記第二板材を備えているネットワークカード等の着脱式装置が前記１対の固定レールのスライド中に、メインボードのような前記第一板材を備えているサーバー等の本体に対して自動ロック機能を発動し、前記着脱式装置が前記本体から脱出しないようにし、電気的接続の安定性を確保する。
【課題を解決するための手段】
【０００９】
上記目的を達成するための主たる考案は、１対の固定レールと、少なくとも１つの自動ロック機構と、各前記自動ロック機構に隣接する手動ロック解除メカニズムと、を備え、前記１対の固定レールは第一板材に間隔を空けて対向するように設置し、且つ内側面には第二板材の両側にある１対のスライドレールを挿設させてスライドさせるための１対のレールスロットを比較的軸方向に開設し、前記１対の固定レールは各前記スライドレールのロック穴に対応する位置に前記自動ロック機構を装設すると共に貫通スロットを有する位置決めタワーを突設し、そして、前記１対の固定レールは前記位置決めタワーの一側に停止部材を間隔を空けて設置し、
各前記自動ロック機構は、その底部には前記貫通スロットを貫通すると共に案内側面を有するほぞを設けている固定ピンであって、前記ほぞの上方には第一角ほぞを突設し、且つ前記貫通スロットの外側にプルハンドルを有することと、前記位置決めタワーに挿着する固定端及び前記固定ピンに挿着する接合端を有する弾性体と、を含み、各前記自動ロック機構の前記ほぞは前記弾性体が付勢を解放することにより前記レールスロット内に恒常的に径方向に進入し、前記案内側面が前記レールスロットの挿入方向に向き、前記ロック穴を自動ロックし、
各前記手動ロック解除メカニズムはシャフトロッド及びスプリングを備え、前記スプリングは前記停止部材及び前記シャフトロッドの一端に設置し、前記シャフトロッドの他端にある第二角ほぞは前記位置決めタワーを貫通すると共に前記第一角ほぞに隣接し、
前記プルハンドルを上に引くことで前記ほぞを前記貫通スロット内を貫入させ、且つ前記第一角ほぞが前記第二角ほぞを超えて衝合するロック形態を形成し、同時に前記弾性体の前記接合端及び前記スプリングが圧縮し、前記固定ピンが自動的に落下しなくなることを特徴とするスライド式補助接続組立部材である。
【００１０】
本考案の好適例において、各前記固定レールの外面の底部には側板を径方向に突設し、前記側板は少なくとも１つの螺接穴及び少なくとも１つの位置決めピンを備えている。各前記螺接穴は螺合部材を挿設すると共に前記第一板材に対応するように設ける貫通穴に螺接する。
【００１１】
本考案の好適例において、前記側板は少なくとも１つの位置決めピンを更に備え、各前記位置決めピンは前記第一板材に対応するように設ける位置決め穴に挿設する。
【００１２】
本考案の好適例において、前記少なくとも１つの螺接穴及び前記少なくとも１つの位置決めピンは各前記側板の径方向に延出する複数の凸部に選択的に別設する。
【００１３】
本考案の好適例において、各前記レールスロットは上面に対向する先端及び末端にノッチ部を各々形成する。
【００１４】
本考案の好適例において、各前記レールスロットの下方の先端及び後端に逃げスロットを各々形成する。
【００１５】
本考案の好適例において、前記ほぞの各外周面は全て前記案内側面以外の少なくとも１つの凸リブに突設することで、前記貫通スロットとの密接度が増す。
【００１６】
本考案の好適例において、前記案内側面は斜面または円弧面である。
【００１７】
本考案の好適例において、前記弾性体はねじりばねであり、前記ねじりばねの前記固定端は前記位置決めタワーの足穴内に挿着し、前記接合端は前記固定ピンのピンホール内に挿着する。前記位置決めタワーは供前記ねじりばねを装設するスプリング室に横方向に連通し、前記スプリング室内には前記ねじりばねの複数のコイルを覆設するための円柱を突設する。
【００１８】
本考案の好適例において、前記円柱は外周面に少なくとも２つのフランジを突設し、且つこれら前記コイルを前記円柱に覆設した後に脱出しないようにするために各前記フランジは斜面を有する。
【００１９】
本考案の好適例において、前記手動ロック解除メカニズムは前記位置決めタワーと前記停止部材との間に位置する支持部材を更に備え、前記支持部材は前記シャフトロッドに隣接する。
【００２０】
本考案の好適例において、前記支持部材はＴ字形または逆Ｌ字型の凸型レールであり、前記シャフトロッドの底部の少なくとも一側には前記凸型レールと係合する少なくとも１つのバックルフックを設け、前記シャフトロッドが前記支持部材上で軸方向に移動する。
【００２１】
本考案の好適例において、前記停止部材は前記スプリングを覆設するための収容室であり、前記シャフトロッドの一端の支軸には前記スプリングを被装する。
【００２２】
本考案の好適例において、前記弾性体はＵ字形線ばねであり、前記位置決めタワーは前記手動ロック解除メカニズムの対向する側に前記Ｕ字形線ばねの前記固定端を装設するための固定スロットを設け、前記Ｕ字形線ばねの前記接合端は前記位置決めタワーを貫通すると共に前記固定ピンに対向するように開設する１対のピンホール内に挿着する。
【００２３】
本考案の他の特徴については、本明細書及び添付図面の記載により明らかにする。
【図面の簡単な説明】
【００２４】
【図１】従来の着脱式電子装置の第１実施形態を示す傾斜分解図である。
【図２】図１に示す第二板材が第一板材に対してオンボード状態で形成されている概略図である。
【図３】従来の着脱式電子装置の第２実施形態を示す傾斜分解図である。
【図４】図３に示す第二板材が第一板材に対してインボード状態で形成されている概略図である。
【図５】本考案の第１実施例に係るスライド式補助接続組立部材を異なる角度から見た傾斜分解図である。
【図６】本考案の第１実施例に係るスライド式補助接続組立部材を異なる角度から見た傾斜分解図である。
【図７】本考案の第１実施例に係るスライド式補助接続組立部材を組み合せた傾斜分解図である。
【図８】本考案の第１実施例に係るスライド式補助接続組立部材がオンボード状態で着脱式電子装置に用いられる傾斜分解図である。
【図９】図８に示す第二板材が第一板材に対してオンボード状態で形成されている概略図である。
【図１０】本考案の第１実施例に係るスライド式補助接続組立部材がインボード状態で着脱式電子装置に用いられる傾斜分解図である。
【図１１】図１０に示す第二板材が第一板材に対してインボード状態で形成されている概略図である。
【図１２ａ】第二板材が本考案の第１実施例に係るスライド式補助接続組立部材に挿入してスライドし、自動ロックと手動ロック解除を行う断面図である。
【図１２ｂ】第二板材が本考案の第１実施例に係るスライド式補助接続組立部材に挿入してスライドし、自動ロックと手動ロック解除を行う断面図である。
【図１２ｃ】第二板材が本考案の第１実施例に係るスライド式補助接続組立部材に挿入してスライドし、自動ロックと手動ロック解除を行う断面図である。
【図１２ｄ】第二板材が本考案の第１実施例に係るスライド式補助接続組立部材に挿入してスライドし、自動ロックと手動ロック解除を行う断面図である。
【図１３】本考案の自動ロック機構と固定レ−ルを示す断面図である。
【図１４】本考案の第２実施例に係るスライド式補助接続組立部材を組み合せた傾斜分解図と部分拡大傾斜図である。
【図１５】本考案の第３実施例に係るスライド式補助接続組立部材を組み合せた傾斜分解図と部分拡大傾斜図である。
【図１６】本考案の第３実施例に係るスライド式補助接続組立部材を組み合せた傾斜図である。
【図１７】本考案の第３実施例に係るスライド式補助接続組立部材が自動ロック状態で形成されている断面図である。
【図１８】本考案の第３実施例に係るスライド式補助接続組立部材が手動ロック解除状態で形成されている断面図である。
【考案を実施するための形態】
【００２５】
以下、本開示の実施形態について図面を用いて説明する。なお、本開示は、下記の実施形態に何ら限定されることはなく、本開示の技術的範囲に属する限り種々の形態を採りうる。
【００２６】
まず、図５〜７を参照しながら、本考案の第１実施例に係るスライド式補助接続組立部材をさらに詳しく説明する。
［第１実施形態］
【００２７】
本考案に係るスライド式補助接続組立部材はプラスチック射出により一体成形する絶縁体であり、１対の固定レール１と、少なくとも１つの自動ロック機構２と、各前記自動ロック機構２に隣接する手動ロック解除メカニズム３と、を備えている。
【００２８】
前記１対の固定レール１は間隔を空けて対向するように設置し、且つ内面にはレールスロット１１を相対的に軸方向に開設する。本実施形態では、各前記固定レール１の造型は完全に同じであり、その後、固定レール１及び１８０度回転する他の固定レール１を対向するように設置し、前記１対の固定レール１の配置を完了し、他の鏡像の固定レール１のモジュールの支出コストを減らす。各前記固定レール１の外面の底部には側板１２を径方向に突設する。前記側板１２を設置する目的は、前記側板１２を着脱式電子装置の本体１０のメインボードのような第一板材１０１に直接設置可能にし（図８と図９参照）、オンボード形態を形成することである。或いは、前記側板１２を本体１０の第一板材１０１に予め設けている矩形穴１０５の内側の底面に衝合し（図１０と図１１参照）、インボード形態を形成することである。
【００２９】
図５を参照すると、前記側板１２は少なくとも１つの螺接穴１２１及び少なくとも１つの位置決めピン１２２を備え、各前記螺接穴１２１はねじのような従来の螺合部材を挿設すると共に前記第一板材１０１に予め設けている貫通穴に螺接し、各前記位置決めピン１２２は前記インボード形態時に前記第一板材１０１に予め設けている位置決め穴に挿設する。前記少なくとも１つの螺接穴１２１及び前記少なくとも１つの位置決めピン１２２は前記側板１２に径方向に延出する複数の凸部１２３に選択的に別設する。図５に示されるように、前記螺接穴１２１の数量は２つであり、先端及び末端の前記凸部１２３に別設する。前記位置決めピン１２２の数量は１つであり、且つ中間部の前記凸部１２３に設けている。
【００３０】
さらに、前記レールスロット１１の上面に対向する先端及び末端にはノッチ部１３を各々形成する。図８に示されるように、前記第一板材１０１の前方にあるパネル１０６に予め設けているネジ穴１０７には手動回転ねじを挿設し、且つネットワークカードのような着脱式装置２０の横方向に対応するように開設する固定孔（図示省略）に螺接し、前記手動回転ねじの１段は前記ノッチ部１３内に収容可能である。
【００３１】
また、前記レールスロット１１の下方の先端及び後端には逃げスロット１４を各々形成する。前記逃げスロット１４の主要な機能は、前記着脱式装置２０の逃げ板部材（図示省略）に退避空間を提供することである。
【００３２】
また、前記１対の固定レール１のうちの１つの固定レール１は前記着脱式装置２０の底部にある１対のスライドレール２０２中に開設するロック穴２０３に対応する位置に前記自動ロック機構２を装設するための位置決めタワー１５を突設する。前記位置決めタワー１５は前記レールスロット１１に連通する貫通スロット１５１を有する。また、前記手動ロック解除メカニズムを装設するために、前記位置決めタワー１５の一側には収容室及び支持部材１７や凸型レール等の停止部材１６を間隔を空けて設置する。前記支持部材１７は前記位置決めタワー１５と前記停止部材１６との間に位置する。
【００３３】
前記自動ロック機構２は前記貫通スロット１５１内に覆設し、底部には前記貫通スロット１５１を貫通すると共にレールスロット１１内に進入し、且つ案内側面２１２を有するほぞ２１１を設けている。前記ほぞ２１１の上方には第一角ほぞ２１３を軸方向に突設する固定ピン２１と、前記貫通スロット１５１の外側に位置するプルハンドル２１４と、を備えている。前記ほぞ２１１は前記案内側面２１２の各外周面に突設する少なくとも１つの凸リブ２１５とは異なり、これら前記凸リブ２１５の設置により前記貫通スロット１５１との密接度が増加し、揺れ動くことがなくなる。
【００３４】
図５、図６と図１２を参照すると、前記案内側面２１２は斜面として実施する。他の実施形態では、前記案内側面２１２は円弧面である。
【００３５】
前記自動ロック機構２は弾性体２２を更に備えている。前記弾性体２２の実施形態はねじりばねであり、前記ねじりばねの固定端２２１は前記位置決めタワー１５の足穴１５２内に挿着し、接合端２２２は前記固定ピン２１のピンホール２１６内に挿着する。前記位置決めタワー１５は前記弾性体を装設するためのスプリング室１５３に横方向に連通し、前記スプリング室１５３内には前記弾性体２２の複数のコイル２２３を覆設するための円柱１５４を突設する。
【００３６】
なお、前記手動ロック解除メカニズム３はシャフトロッド３１及びスプリング３２を備えている。図１３に示されるように、前記支持部材１７はＴ字形または逆Ｌ字型の凸型レールとして実施し、前記シャフトロッド３１の底部の少なくとも一側には前記支持部材１７と係合する少なくとも１つのバックルフック３１１を設け、前記シャフトロッド３１が前記支持部材１７上で軸方向に移動する。前記スプリング３２は収容室内のような前記停止部材１６に設置し、且つ前記シャフトロッド３１の一端の支軸３１２には前記スプリング３２を被装し、前記シャフトロッド３１の他端にある第二角ほぞ３１３は前記位置決めタワー１５を貫通すると共に前記第一角ほぞ２１３に隣接する。
【００３７】
図１２ａは前記自動ロック機構２を前記位置決めタワー１５に接するように装設する断面図を示す。前記ほぞ２１１は前記弾性体２２の伸展により前記貫通スロット１５１に恒常的に径方向に延出し、前記案内側面２１２が前記レールスロット１１の挿入方向に向く。
【００３８】
図８と図９は前記１対の固定レール１を前記本体１０のメインボード等の前記第一板材１０１に間隔を空けて固設し、前記オンボード形態を形成するものを図示する。前記１対の固定レール１はネットワークカードのような前記着脱式装置２０を着脱し、且つ前記第一板材１０１は前記１対の固定レール１の末端にコネクタ１０２を設けている。前記着脱式装置２０は回路基板のような第二板材２０１を有し（図９参照）、前記第二板材２０１の内側には前記コネクタ１０２に対応する位置に接続プラグ（図示省略）を設けている。
【００３９】
前記着脱式装置２０を前記本体１０に挿着する方式は、図１２ａ乃至図１２ｃに示すように、前記１対のスライドレール２０２を前記１対の固定レール１の前記１対のレールスロット１１内に挿入し、各前記スライドレール２０２を対応する前記レールスロット１１に沿って内側に向けてスライドさせる。前記スライドレール２０２が前記ほぞ２１１の前記案内側面２１２に接触すると、前記ほぞ２１１が上に向けて移動し、且つ前記第一角ほぞ２１３が前記第二角ほぞ３１３に沿って上に向けて変位し、同時に前記弾性体２２の前記接合端２２２及び前記スプリング３２が圧縮する（図１２ａと図１２ｂ参照）。次いで、前記スライドレール２０２が前記ほぞ２１１の底部の隅に沿って内側に向けて移動し、前記ロック穴２０３が前記ほぞ２１１の下方まで移動した場合、前記接合端２２２が伸展し、前記ほぞ２１１が前記ロック穴２０３内に係入し、自動ロック機能を形成する（図１２ｃ参照）。この際、前記着脱式装置２０の背面にある接続プラグ（図示省略）を前記コネクタ１０２に挿着し、電気的接続を形成する。また、前記自動ロック機構２を前記ロック穴２０３内にロックすることで、前記着脱式装置２０が振動環境にある場合でも前記本体１０から脱離しなくなる。
【００４０】
前記着脱式装置２０のロックを解除して外に伐出する場合、使用者は手で前記プルハンドル２１４を把持し、上に引くと前記ほぞ２１１が前記貫通スロット１５１に貫入し、前記第一角ほぞ２１３が前記第二角ほぞ３１３を超えて衝合するロック形態を形成すると同時に前記弾性体２２の前記接合端２２２及び前記スプリング３２が圧縮し、前記固定ピン２１が自動的に落下しなくなる（図１２ｄ参照）。その後、片手または両手で前記着脱式装置２０を把持して外に向けて引き出して前記接続プラグと前記コネクタ１０２とを分離した後、前記着脱式装置２０を前記本体１０中から引き出す。
【００４１】
前記自動ロック機構２の自動ロック機能を回復する場合、使用者は前記シャフトロッド３１を軸方向に外に向けて移動させ、且つ前記スプリング３２を圧縮するのみで、前記第二角ほぞ３１３が前記第一角ほぞ２１３から脱離し、前記固定ピン２１のロックが解除され、前記固定ピン２１が図１２ａに示す形態に回復する。
【００４２】
図１０及び図１１は前記１対の固定レール１を前記本体１０のメインボードのような前記第一板材１０１に予め設けている穴１０５内の両内側辺に間隔を空けて固設し、前記インボード形態を形成するものを図示する。前記１対の固定レール１はネットワークカードのような前記着脱式装置２０を着脱し、且つ前記第一板材１０１は前記穴１０５及び前記１対の固定レール１の末端にコネクタ１０２を設けている。前記着脱式装置２０を前記本体１０に挿着する方式は前述のオンボード形態と同じであるため再述はしない。よって、前記１対の固定レール１を前記インボード形態で実施する場合、前記着脱式装置２０は振動環境にあっても前記本体１０から脱離しない。
［第２実施形態］
【００４３】
本考案の第２実施形態の構成を図１４に示す。前記第２実施形態は前記第１実施形態と比較し、同じ部材は同じ符号を用いて表示する。前記第２実施形態及び前記第１実施形態は多くの共用の部材を有するため、両者の違いについてのみ詳しく後述する。
【００４４】
理解を容易にするため、前記第２実施形態には１つの固定レール１のみを示し、本実施形態と前述の実施形態との差異は、前記円柱１５４は外周面に少なくとも２つのフランジ１５５を突設し、且つ各前記フランジ１５５が斜面を有し、前記弾性体２２のこれら前記コイル２２３を前記円柱１５４に覆設した後に脱出しないようにし、前記弾性体２２が好ましい固定効果を有する点である。
［第３実施形態］
【００４５】
本考案の第３実施形態の構成を図１５に示す。前記第３実施形態は前記第１実施形態と比較し、同じ部材は同じ符号を用いて表示する。前記第２実施形態及び前記第１実施形態が多くの共用の部材を有するため、両者の違いについてのみ詳しく後述する。
【００４６】
同様に、理解を容易にするため、前記第３実施形態でも１つの固定レール１のみを示し、本実施形態と前述の実施形態との差異は、前記弾性体２２がＵ字形線ばねにより前述のねじりばねを代替しており、前記Ｕ字形線ばねも固定端２２１及び接合端２２２を有する点である。前記位置決めタワー１５は前記手動ロック解除メカニズム３の対向する側に前記固定端２２１を装設するための固定スロット１５６を設け、前記接合端２２２は前記位置決めタワー１５を貫通すると前記固定ピン２１に対向するように開設する１対のピンホール２１６内に挿着し、図１６に示す前記弾性体２２を前記位置決めタワー１５及び前記固定ピン２１に接するように装設するプロセスを完了する。
【００４７】
図１７及び図１８はＵ字形線ばねのような前記弾性体２２が自動ロック形態及び手動ロック解除形態にある断面図をそれぞれ示す。図から分かるように、前記Ｕ字形線ばね及び前述のねじりばねは同様に付勢の蓄積及び解放作用を有し、且つ予期する自動ロック機能を獲得する。
【００４８】
このように、本考案によれば、次のような効果がある。
前記スライド式補助接続組立部材の前記１対の固定レールが異なる形態の前記第一板材に前記オンボードまたは前記インボード形態を形成し、且つ前記少なくとも１つの固定レールが前記第二板材に予め設けているロック穴に対応する位置に前記ロック穴に対して自動ロックを形成する前記自動ロック機構を設置し、回路基板のような前記第二板材を備えているネットワークカードのような前記着脱式装置が前記１対の固定レールのスライド中にインボードのような前記第一板材のサーバー等の本体に対して自動ロック機能を発動し、前記第一板材の前記コネクタ及び前記第二板材の前記接続プラグが脱離しないようにすることで、電気的接続の安定性を確保する。ちなみに、前記スライド式補助接続組立部材には前記自動ロック機構に対してロックを形成する手動ロック解除メカニズムを更に設け、使用者が片手または両手で前記着脱式装置を把持して伐出し分離する動作を便利にする。これは同類の物品には見られない機構である。
【００４９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００５０】
１  固定レール
１１  レールスロット
１２  側板
１２１  螺接穴
１２２  位置決めピン
１２３  凸部
１３  ノッチ部
１４  逃げスロット
１５  位置決めタワー
１５１  貫通スロット
１５２  足穴
１５３  スプリング室
１５４  円柱
１５５  フランジ
１５６  固定スロット
１６  停止部材
１７  支持部材
２  自動ロック機構
２１  固定ピン
２１１  ほぞ
２１２  案内側面
２１３  第一角ほぞ
２１４  プルハンドル
２１５  凸リブ
２１６  ピンホール
２２  弾性体
２２１  固定端
２２２  接合端
２２３  コイル
３  手動ロック解除メカニズム
３１  シャフトロッド
３１１  バックルフック
３１２  支軸
３１３  第二角ほぞ
３２  スプリング
１０  本体
１０１  第一板材
１０２  コネクタ
１０３  固定レール
１０４  レールスロット
１０５  穴
１０６  パネル
１０７  ネジ穴
２０  着脱式装置
２０１  第二板材
２０２  スライドレール
２０３  ロック穴
【図１】
0003229039.tif 000003
【図２】
0003229039.tif 000004
【図３】
0003229039.tif 000005
【図４】
0003229039.tif 000006
【図５】
0003229039.tif 000007
【図６】
0003229039.tif 000008
【図７】
0003229039.tif 000009
【図８】
0003229039.tif 000010
【図９】
0003229039.tif 000011
【図１０】
0003229039.tif 000012
【図１１】
0003229039.tif 000013
【図１２ａ】
0003229039.tif 000014
【図１２ｂ】
0003229039.tif 000015
【図１２ｃ】
0003229039.tif 000016
【図１２ｄ】
0003229039.tif 000017
【図１３】
0003229039.tif 000018
【図１４】
0003229039.tif 000019
【図１５】
0003229039.tif 000020
【図１６】
0003229039.tif 000021
【図１７】
0003229039.tif 000022
【図１８】
0003229039.tif 000023